(57)【要約】【課題】第２本体部と第１本体部とが重ねられたときに、第１本体部に設けられた表示部をタッチパネルとして操作可能な電子機器を提供する。【解決手段】電子機器１は、第１タッチセンサ２ｄを有する第１本体部２と、第２タッチセンサ３ｂを有する第２本体部３と、第２本体部３の開状態および閉状態を検出する検出部２ｃと、第１タッチセンサ２ｄおよび第２タッチセンサ３ｂを制御する制御部２ｅと、を備える。制御部２ｅは、第２本体部３が開状態であることを検出部２ｃが検出したときに第１タッチセンサ２ｄを有効にしかつ第２タッチセンサ３ｂを無効にする。制御部２ｅは、第２本体部３が閉状態であることを検出部２ｃが検出したときに第２タッチセンサ３ｂを有効にしかつ第１タッチセンサ２ｄを無効にする。【選択図】図１
2020035318.tif 000002
【特許請求の範囲】
【請求項１】
表示部および前記表示部と重なる位置に配された第１タッチセンサを有する第１本体部と、
第２タッチセンサを有し、前記第１本体部に対して、開状態と前記第１本体部の前記表示部がある面を覆う閉状態との間で相対移動可能な第２本体部と、
前記第２本体部の開状態および閉状態を検出する検出部と、
前記第１タッチセンサおよび前記第２タッチセンサを制御する制御部と、を備え、
前記第２タッチセンサは、前記第２本体部が閉状態となったときに、前記表示部と重なる位置に配置され、
前記制御部は、前記第２本体部が開状態であることを前記検出部が検出したときに前記第１タッチセンサを有効にしかつ前記第２タッチセンサを無効にし、前記第２本体部が閉状態であることを前記検出部が検出したときに前記第２タッチセンサを有効にしかつ前記第１タッチセンサを無効にするように構成される、電子機器。
【請求項２】
前記第２本体部は透明領域を有し、前記第２本体部が前記閉状態のとき、前記透明領域を通して前記第１本体部の前記表示部を視認可能である、請求項１に記載の電子機器。
【請求項３】
前記第２本体部は、前記第２本体部が前記閉状態のときに前記第１本体部と対向する位置に配置されたディスプレイを有する、請求項１または２に記載の電子機器。
【請求項４】
前記第２タッチセンサの感度が、前記第１タッチセンサの感度よりも高い、請求項１から３のいずれか１項に記載の電子機器。
【請求項５】
前記第１タッチセンサおよび前記第２タッチセンサはそれぞれ、メッシュ状の金属細線により構成された少なくとも１つの電極層を有し、
前記第１タッチセンサおよび前記第２タッチセンサに含まれる電極層のうち、少なくとも１つの電極層における前記金属細線のマイクロピッチが、他の電極層における前記金属細線のマイクロピッチと異なっている、請求項１から４のいずれか１項に記載の電子機器。
【請求項６】
前記第１タッチセンサおよび前記第２タッチセンサはそれぞれ、メッシュ状の金属細線により構成された少なくとも１つの電極層を有し、
前記第１タッチセンサおよび前記第２タッチセンサに含まれる電極層のうち、少なくとも１つの電極層における前記金属細線のメッシュ角度が、他の電極層における前記金属細線のメッシュ角度と異なっている、請求項１から５のいずれか１項に記載の電子機器。
【請求項７】
前記第１本体部には、前記第１タッチセンサを覆う透明カバーが設けられ、
前記第２本体部には、前記第２タッチセンサを覆う第２透明板が設けられ、
前記透明カバーの表面には反射防止膜が形成され、前記第２透明板の表面には反射防止膜が形成されていない、請求項１から６のいずれか１項に記載の電子機器。
【請求項８】
前記第１本体部はキーボードをさらに有し、前記表示部は前記キーボードと同じ面に配置される請求項１から７のいずれか１項に記載の電子機器。
【請求項９】
表示部および前記表示部と重なる位置に配されたタッチセンサを有する第１本体部と、
前記第１本体部に対して、開状態と前記第１本体部の前記表示部がある面を覆う閉状態との間で相対移動可能な第２本体部と、
前記第２本体部の開状態および閉状態を検出する検出部と、
前記タッチセンサを制御する制御部と、を備え、
前記制御部は、前記第２本体部が開状態から閉状態となったことを前記検出部が検出したときに前記タッチセンサの感度を上げ、前記第２本体部が閉状態から開状態となったことを前記検出部が検出したときに前記タッチセンサの感度を下げるように構成される、電子機器。
【発明の詳細な説明】
【技術分野】
【０００１】
本発明は、電子機器に関する。
【背景技術】
【０００２】
従来から、下記特許文献１に示されるような、第１本体部と、第１本体部に対して移動可能な第２本体部と、を備えた電子機器が用いられている。特許文献１の例では、キーボードなどを備えた部分が第１本体部に相当し、ディスプレイなどを備えた部分が第２本体部に相当する。
【先行技術文献】
【特許文献】
【０００３】
【特許文献１】特許第５９６９６４３号公報
【発明の概要】
【発明が解決しようとする課題】
【０００４】
このような電子機器では、第１本体部にタッチセンサ付の表示部を設ける場合がある。その場合、第２本体部と第１本体部とが重ねられたときに、第１本体部に設けられた表示部が隠れて操作できないおそれがある。
【０００５】
本発明はこのような事情を考慮してなされ、第２本体部と第１本体部とが重ねられたときに、第１本体部に設けられた表示部をタッチパネルとして操作可能な電子機器を提供することを目的とする。
【課題を解決するための手段】
【０００６】
上記課題を解決するために、本発明の第１の態様に係る電子機器は、表示部および前記表示部と重なる位置に配された第１タッチセンサを有する第１本体部と、第２タッチセンサを有し、前記第１本体部に対して、開状態と前記第１本体部の前記表示部がある面を覆う閉状態との間で相対移動可能な第２本体部と、前記第２本体部の開状態および閉状態を検出する検出部と、前記第１タッチセンサおよび前記第２タッチセンサを制御する制御部と、を備え、前記第２タッチセンサは、前記第２本体部が閉状態となったときに、前記表示部と重なる位置に配置され、前記制御部は、前記第２本体部が開状態であることを前記検出部が検出したときに前記第１タッチセンサを有効にしかつ前記第２タッチセンサを無効にし、前記第２本体部が閉状態であることを前記検出部が検出したときに前記第２タッチセンサを有効にしかつ前記第１タッチセンサを無効にするように構成される。
【０００７】
また、本発明の第２の態様に係る電子機器は、表示部および前記表示部と重なる位置に配されたタッチセンサを有する第１本体部と、前記第１本体部に対して、開状態と前記第１本体部の前記表示部がある面を覆う閉状態との間で相対移動可能な第２本体部と、前記第２本体部の開状態および閉状態を検出する検出部と、前記タッチセンサを制御する制御部と、を備え、前記制御部は、前記第２本体部が開状態から閉状態となったことを前記検出部が検出したときに前記タッチセンサの感度を上げ、前記第２本体部が閉状態から開状態となったことを前記検出部が検出したときに前記タッチセンサの感度を下げるように構成される。
【発明の効果】
【０００８】
本発明の上記態様によれば、第２本体部と第１本体部とが重ねられたときに、第１本体部に設けられた表示部をタッチパネルとして操作可能な電子機器を提供することができる。
【図面の簡単な説明】
【０００９】
【図１】本実施形態に係る電子機器の斜視図である。
【図２】（ａ）はタッチセンサの構成例を示す概略図であり、（ｂ）はタッチセンサの他の構成例を示す概略図である。
【図３】（ａ）は、図２（ａ）のタッチセンサをメッシュ状の細線で構成した場合の概略図である。（ｂ）は、図２（ｂ）のタッチセンサをメッシュ状の細線で構成した場合の概略図である。
【図４】図１の第２本体部の分解斜視図である。
【図５】図１のＶ−Ｖ断面矢視図である。
【図６】図１のＶＩ−ＶＩ断面矢視図である。
【図７】図１の第２本体部を閉状態として、第２本体部側から電子機器を見た図である。
【図８】図１の電子機器を使用する際の様子を示す概略図であり、（ａ）は第２本体部が開状態の場合、（ｂ）は第２本体部が閉状態の場合である。
【発明を実施するための形態】
【００１０】
以下、本実施形態の電子機器について図面に基づいて説明する。
図１に示すように、電子機器１は、第１本体部２（本体部）と第２本体部３（可動部）とを有する、いわゆるクラムシェル型（ノート型）のパーソナルコンピュータである。第１本体部２と第２本体部３とは、第２本体部３が第１本体部２に対して開いた状態と閉じた状態との間で、ヒンジ２５回りに相対的に移動可能となっている。すなわち、第２本体部３と第１本体部２とは、互いに重ね合わされることが可能となっている。
なお、本実施形態を、ノート型ＰＣに限らず、タブレット端末や携帯電話などの電子機器に適用してもよい。
【００１１】
（方向定義）
本実施形態では、ＸＹＺ直交座標系を設定して各構成の位置関係を説明する。以下、Ｘ軸に沿う方向を左右方向Ｘといい、Ｙ軸に沿う方向を前後方向Ｙといい、Ｚ軸に沿う方向を上下方向Ｚという。また、左右方向Ｘにおける一方側を＋Ｘ側（左側）といい、他方側を−Ｘ側（右側）という。前後方向Ｙにおける一方側を＋Ｙ側（後側）といい、他方側を−Ｙ側（前側）という。上下方向における一方側を＋Ｚ側（上側）、他方側を−Ｚ側（下側）という。
【００１２】
ヒンジ２５は、第２本体部３の−Ｚ側の端部と第１本体部２の＋Ｙ側の端部を連結しており、左右方向Ｘに延びている。ヒンジ２５により、第２本体部３は、第１本体部２に対して開状態と閉状態との間で回転移動可能となっている。なお、閉状態とは、第２本体部３と第１本体部２とが重ね合わされて、第１本体部２の表示部２ｂ（後述）がある面を覆った状態をいう。開状態とは、第２本体部３が閉状態から所定量以上移動し、後述する表示部２ｂが露出した状態をいう。
なお、以下の説明では、特別な言及が無い限り、第２本体部３が上下方向Ｚおよび左右方向Ｘに延びた姿勢についての各部の位置関係を説明する。
【００１３】
（第１本体部）
第１本体部２は、左右方向Ｘおよび前後方向Ｙに延びる扁平な形状の筐体を有している。筐体の内部には、マザーボード（基板）やバッテリなどが設けられている。第１本体部２は、ヒンジ２５を介して、第２本体部３に対して回動可能に連結されている。なお、第１本体部２と第２本体部３とは分離可能であってもよい。
【００１４】
第１本体部２には、入力部２ａと、表示部２ｂと、検出部２ｃと、タッチセンサ２ｄ（第１タッチセンサ）と、制御部２ｅと、が設けられている。
入力部２ａは、キーボードなどである。
表示部２ｂは、液晶ディスプレイ（LCD: liquid crystal display）や有機ＥＬ(electro luminescence）ディスプレイなどである。表示部２ｂは、左右方向Ｘに長く、前後方向Ｙに短い長方形状となっている。表示部２ｂは、入力部２ａよりも＋Ｙ側に位置している。換言すると、表示部２ｂは、入力部２ａよりもヒンジ２５に近い位置に配置されている。
【００１５】
タッチセンサ２ｄは、表示部２ｂと重なる位置に配されている。タッチセンサ２ｄは、表示部２ｂを＋Ｚ側から覆っている。表示部２ｂとタッチセンサ２ｄとにより、１つのタッチパネルが構成されている。タッチセンサ２ｄの表面は、透明カバー２ｆにより覆われている（図８（ａ）、（ｂ）参照）。
タッチセンサ２ｄは、使用者が触れた位置を検出可能に構成されている。また、タッチセンサ２ｄは透明であり、透明カバー２ｆおよびタッチセンサ２ｄを通して表示部２ｂを視認可能となっている。
【００１６】
タッチセンサ２ｄとしては、例えば図２（ａ）、（ｂ）に示すような、静電容量方式のセンサを用いることができる。図２（ａ）、（ｂ）では、センサは、複数の第１導体ｄ１および複数の第２導体ｄ２を有している。第１導体ｄ１と第２導体ｄ２とは絶縁されている。複数の第１導体ｄ１は、前後方向Ｙに延びるとともに、左右方向Ｘに並べて配置されている。複数の第２導体ｄ２は、左右方向Ｘに延びるとともに、前後方向Ｙに並べて配置されている。このように第１導体ｄ１と第２導体ｄ２とは、互いに直交する方向に延びており、上下方向Ｚから見て複数の交点を形成している。交点における静電容量は、使用者が触れた際に変化する。このため、静電容量の変化を検出することで、使用者が触れた部位を特定することができる。
【００１７】
図２（ａ）の例では、第１導体ｄ１および第２導体ｄ２は直線状に形成されている。第１導体ｄ１および第２導体ｄ２としては、極細（例えば幅１〜１０μｍ程度）の銅線のメッシュや、ＩＴＯ（Indium Tin Oxide：酸化インジウムスズ）のタイルを用いることができる。図２（ａ）の場合、例えば１つの絶縁体膜の一方の面に複数の第１導体ｄ１を形成し、他方の面に複数の第２導体ｄ２を形成してもよい。あるいは、第１導体ｄ１が形成された絶縁体膜と、第２導体ｄ２が形成された絶縁体膜と、を重ね合わせてもよい。これらの構成により、第１導体ｄ１と第２導体ｄ２とを絶縁しつつ、第１導体ｄ１と第２導体ｄ２との間で静電容量を生じさせることができる。図２（ａ）の構成では、１つのタッチセンサが、複数の第１導体ｄ１を含む電極層と、複数の第２導体ｄ２を含む電極層と、の２つの電極層を有する。
【００１８】
図２（ｂ）の例では、第１導体ｄ１および第２導体ｄ２は、複数の矩形部が連結された形状を有している。第１導体ｄ１と第２導体ｄ２との交点において、第１導体ｄ１の矩形部同士は、ブリッジ配線Ｂにより接続されている。ブリッジ配線Ｂと第２導体ｄ２との間に、絶縁体Ｉを設けることで、第１導体ｄ１と第２導体ｄ２とを絶縁しつつ、第１導体ｄ１と第２導体ｄ２との間で静電容量を生じさせることができる。図２（ｂ）の構成では、１つのタッチセンサが、複数の第１導体ｄ１および複数の第２導体ｄ２を含む１つの電極層を有する。
【００１９】
図３（ａ）、（ｂ）は、図２（ａ）、（ｂ）の導体ｄ１、ｄ２をメッシュ状の金属細線で構成した場合の模式図である。図３（ａ）、（ｂ）に示すように、メッシュ状の金属細線は所定のピッチで繰り返し配置されている。このピッチは、均一であってもよいし、不均一であってもよい。以下、メッシュ状の金属細線のピッチをマイクロピッチＰという。また、金属細線の左右方向Ｘに対する傾きを、メッシュ角度θという。
【００２０】
図１に示す制御部２ｅは、検出部２ｃの検出結果に基づき、タッチセンサ２ｄおよびタッチセンサ３ｂ（後述）を制御し、有効（ＯＮ）と無効（ＯＦＦ）とを切り替える。制御部２ｅは、マザーボードの一部であってもよいし、マザーボードとは別の基板の一部などであってもよい。
【００２１】
検出部２ｃは、第２本体部３の開状態および閉状態を検出する。検出部２ｃは、第１本体部２の−Ｙ側の端部に配置されている。第２本体部３の＋Ｚ側の端部には、検知対象部３ａが設けられている。検出部２ｃおよび検知対象部３ａは、左右方向Ｘにおいて同じ位置に配置されている。このため、第２本体部３が閉状態となったときに、第１本体部２の検出部２ｃと第２本体部３の検知対象部３ａとが互いに対向する。検出部２ｃとしては、ホールセンサなどの磁気センサを用いることができる。検知対象部３ａとしては、磁石を用いることができる。検出部２ｃは、第２本体部３が開状態と閉状態との間で移動することに伴う、検知対象部３ａが生じさせる磁場の変化を検出することで、第２本体部３の開状態および閉状態を検知することができる。
【００２２】
なお、検出部２ｃが第２本体部３に設けられ、検知対象部３ａが第１本体部２に設けられていてもよい。あるいは、検出部２ｃとして、磁気センサ以外の方式のセンサ（例えば赤外線センサなど）を用いてもよい。
【００２３】
（第２本体部）
第２本体部３は、ディスプレイ６を備えている。ディスプレイ６は、液晶ディスプレイや有機ＥＬディスプレイなどである。ディスプレイ６には、配線７が接続されている。配線７を通じて、ディスプレイ６と第１本体部２のマザーボード等とが電気的に接続されている。
【００２４】
第２本体部３は透明領域Ａを有している。第２本体部３を前後方向Ｙから見ると、配線７が接続された部分を除き、ディスプレイ６が透明領域Ａに囲われる。これにより、ディスプレイ６が宙に浮いているような外観となる。なお、透明領域Ａはディスプレイ６を囲っていなくてもよい。ただし、透明領域Ａは、第２本体部３が閉状態となったときに、第１本体部２の表示部２ｂを覆う位置に設けられていることが好ましい。
【００２５】
図４に示すように、第２本体部３は、第１透明板４と、透明部材１０と、フレーム体２０と、第２透明板５と、ディスプレイ６と、タッチセンサ３ｂ（第２タッチセンサ）と、タッチセンサ３ｃ（第３タッチセンサ）と、を有している。なお、第２本体部３はタッチセンサ３ｃを有していなくてもよい。透明領域Ａは、第１透明板４、透明部材１０、および第２透明板５が前後方向Ｙに重ねられた構造となっている。なお、タッチセンサ３ｂは透明領域Ａの一部に配置されている。
【００２６】
第１透明板４および第２透明板５は、フレーム体２０、透明部材１０、およびディスプレイ６を前後方向Ｙで挟んでいる。第１透明板４はディスプレイ６よりも−Ｙ側に位置し、第２透明板５はディスプレイ６よりも＋Ｙ側に位置している。
第１透明板４および第２透明板５は、上下方向Ｚおよび左右方向Ｘに延びる透明な板状に形成されている。本実施形態では、第１透明板４および第２透明板５は、前後方向Ｙから見て長方形状に形成されている。第１透明板４および第２透明板５としては、ガラスや透明の樹脂などを用いることができる。
【００２７】
フレーム体２０は、金属などにより形成されている。フレーム体２０は、右フレーム２１と、上フレーム２２と、左フレーム２３と、下フレーム２４と、を有している。各部２１〜２４により、フレーム体２０は、前後方向Ｙから見て長方形の枠状に形成されている。右フレーム２１および左フレーム２３は上下方向Ｚに延びており、上フレーム２２および下フレーム２４は左右方向Ｘに延びている。上フレーム２２は、右フレーム２１および左フレーム２３の＋Ｚ側端部同士を接続している。下フレーム２４は、右フレーム２１および左フレーム２３の−Ｚ側端部同士を接続している。
【００２８】
下フレーム２４の−Ｚ側端部には、ヒンジ２５が設けられている。
図５に示すように、フレーム体２０には、第１凹部２０ａおよび第２凹部２０ｂが形成されている。第１凹部２０ａは、フレーム体２０の＋Ｙ側の端面から、−Ｙ側に向けて窪んでいる。第２凹部２０ｂは、フレーム体２０の−Ｙ側の端面から、＋Ｙ側に向けて窪んでいる。第１凹部２０ａおよび第２凹部２０ｂは、フレーム体２０の各部２１〜２４に沿って形成されている。このため、凹部２０ａ、２０ｂは、前後方向Ｙから見て長方形の枠状に形成されている。
【００２９】
凹部２０ａ、２０ｂは、右フレーム２１の＋Ｘ側の端部、上フレーム２２の−Ｚ側の端部、左フレーム２３の−Ｘ側の端部、および下フレーム２４の＋Ｚ側の端部に形成されている。凹部２０ａ、２０ｂの左右方向Ｘの寸法は、第１透明板４および第２透明板５の左右方向Ｘの寸法よりも大きい。凹部２０ａ、２０ｂの上下方向Ｚの寸法は、第１透明板４および第２透明板５の上下方向Ｚの寸法よりも大きい。
【００３０】
第１透明板４の少なくとも一部は、第１凹部２０ａの内側に位置している。第１透明板４は、接着剤８によって、第１凹部２０ａの内面に接着されている。接着剤８としては、紫外線硬化型樹脂、熱硬化型樹脂、熱可塑性樹脂、両面テープなどを用いることができる。図５の例では、第１凹部２０ａの＋Ｙ側を向く内面に接着剤８が設けられている。ただし接着剤８は、第１凹部２０ａの左右方向Ｘを向く内面に設けられていてもよい。
【００３１】
第２透明板５の少なくとも一部は、第２凹部２０ｂの内側に位置している。第２透明板５は、接着剤８によって、第２凹部２０ｂの内面に接着されている。図５の例では、第２凹部２０ｂの−Ｙ側を向く内面に接着剤８が設けられている。ただし接着剤８は、第２凹部２０ｂの左右方向Ｘを向く内面に設けられていてもよい。
複数の接着剤８によって、第１透明板４および第２透明板５は、フレーム体２０に対して接着および固定されている。本実施形態では、第１透明板４の全体が第１凹部２０ａの内側に位置しており、第２透明板５の全体が第２凹部２０ｂの内側に位置している。
【００３２】
ディスプレイ６は、第１透明板４に固定されている。ディスプレイ６は、液晶ディスプレイや有機ＥＬディスプレイなどである。第１透明板４を通して、使用者は、ディスプレイ６を視認することができる。ディスプレイ６は、前後方向Ｙから見て長方形状に形成されている。配線７は、ディスプレイ６の背面（＋Ｙ側の面）に接続されている。配線７とディスプレイ６とを接続する作業は、ディスプレイ６、第１透明板４、および透明部材１０を組み付けた後で行うことができる。このため、ディスプレイ６が第１透明板４に固定されていても、配線７を透明部材１０の配線収容部１４ａ（後述）内に収容することができる。
なお、第２本体部３自体をタッチパネルとして用いる場合には、ディスプレイ６と第１透明板４との間にタッチセンサ３ｃを設ける。
【００３３】
透明部材１０は、透明な樹脂により形成されている。透明部材１０の材質としては、ポリカーボネート（PC: polycarbonate）やアクリル（PMMA: Poly Methyl Methacrylate）などを用いることができる。透明部材１０は、射出成型により形成されてもよいし、切削加工により形成されてもよい。
【００３４】
図４に示すように、透明部材１０は、ディスプレイ６を囲う囲繞部１０ａを有している。本実施形態では、長方形状のディスプレイ６を囲うように、囲繞部１０ａが長方形の枠状に形成されている。囲繞部１０ａは、右側部１１と、上側部１２と、左側部１３と、下側部１４と、を有している。右側部１１、上側部１２、左側部１３、および下側部１４は、一体に形成されている。すなわち、囲繞部１０ａは一体に形成されている。
【００３５】
右側部１１と左側部１３との間の左右方向Ｘにおける間隔は、ディスプレイ６の左右方向Ｘにおける寸法よりも大きい。上側部１２と下側部１４との間の上下方向Ｚにおける間隔は、ディスプレイ６の上下方向Ｚにおける寸法よりも大きい。
透明部材１０の左右方向Ｘにおける大きさは、フレーム体２０における右フレーム２１と左フレーム２３との間の左右方向Ｘにおける間隔よりも小さい。透明部材１０の上下方向Ｚにおける大きさは、フレーム体２０における上フレーム２２と下フレーム２４との間の上下方向Ｚにおける間隔よりも小さい。
【００３６】
右側部１１はディスプレイ６の−Ｘ側に位置し、上側部１２はディスプレイ６の＋Ｚ側に位置し、左側部１３はディスプレイ６の＋Ｘ側に位置し、下側部１４はディスプレイ６の−Ｚ側に位置している。
右側部１１および左側部１３は上下方向Ｚに延びており、上側部１２および下側部１４は左右方向Ｘに延びている。上側部１２は、右側部１１および左側部１３の＋Ｚ側端部同士を接続している。下側部１４は、右側部１１および左側部１３の−Ｚ側端部同士を接続している。
【００３７】
下側部１４の上下方向Ｚにおける幅は、上側部１２の上下方向Ｚにおける幅よりも大きい。また、下側部１４の上下方向Ｚにおける幅は、右側部１１および左側部１３の左右方向Ｘにおける幅よりも大きい。つまり、下側部１４の幅は、囲繞部１０ａにおける他の部分１１〜１３の幅よりも大きくなっている。
【００３８】
下側部１４には、配線収容部１４ａが設けられている。配線収容部１４ａは、下側部１４に形成された凹部である。配線収容部１４ａは、下側部１４の＋Ｙ側の端面から、−Ｙ側に向けて窪んでいる。配線収容部１４ａは、下側部１４の左右方向Ｘにおける端部に位置している。配線収容部１４ａは、下側部１４の＋Ｚ側端面から−Ｚ側端面にかけて、上下方向Ｚに延びている。つまり、配線収容部１４ａは、下側部１４を上下方向Ｚに横断するように形成されている。
【００３９】
図６に示すように、配線収容部１４ａの左右方向Ｘにおける幅は、配線７の左右方向Ｘにおける幅よりも大きい。配線収容部１４ａの前後方向Ｙにおける幅（深さ）は、配線７の前後方向Ｙにおける厚みよりも大きい。配線収容部１４ａの内側に、配線７の少なくとも一部が位置している。
【００４０】
なお、配線収容部１４ａの前後方向Ｙにおける幅は、配線７の前後方向Ｙにおける厚みより小さくてもよい。この場合でも、例えば透明部材１０と第２透明板５との間に前後方向Ｙの隙間を設けて、配線収容部１４ａと第２透明板５とにより形成される空間に配線７を収容することができる。
【００４１】
図５に示すように、囲繞部１０ａのうち、ディスプレイ６を向く内面１０ｂには薄膜１０ｃが形成されている。なお、内面１０ｂには、右側部１１の＋Ｘ側端面、上側部１２の−Ｚ側端面、左側部１３の−Ｘ側端面、および下側部１４の＋Ｚ側端面が含まれる。薄膜１０ｃの材質としては、アルミニウムなどの金属が好適である。薄膜１０ｃは、例えば蒸着やメッキなどにより、内面１０ｂの表面に形成することができる。内面１０ｂの表面に薄膜１０ｃを形成することで、ディスプレイ６の端面などが、透明部材１０を通して視認されにくくなる。
【００４２】
透明部材１０は、枠状に形成されたフレーム体２０の内側に位置している。また、ディスプレイ６は、枠状に形成された透明部材１０の内側に位置している。そして、透明部材１０およびディスプレイ６は、第１透明板４および第２透明板５によって前後方向Ｙで挟まれている。
以上の構成により、透明部材１０は、フレーム体２０、ディスプレイ６、第１透明板４、および第２透明板５により形成された隙間を埋めるように設けられている。
【００４３】
図７は、図１に示す状態から第２本体部３をヒンジ２５回りに回動させて、第２本体部３と第１本体部２とを重ね合わせた状態を示している。
図７に示すように、第２本体部３と第１本体部２とを重ね合わせたときに、透明領域Ａおよび表示部２ｂの位置が互いに一致する。より詳しくは、第１透明板４、透明部材１０の下側部１４、および第２透明板５が重なり合った部分が、表示部２ｂを覆った状態となる。このため、使用者は、透明領域Ａを通して、表示部２ｂを視認することができる。
【００４４】
ここで、図１に示すように、第２本体部３にはタッチセンサ３ｂ（第２タッチセンサ）およびタッチセンサ３ｃ（第３タッチセンサ）が設けられている。タッチセンサ３ｂ、３ｃは、使用者が触れた位置を検出可能に構成されている。また、タッチセンサ３ｂ、３ｃは透明である。タッチセンサ３ｂ、３ｃとしては、タッチセンサ２ｄと同様に、静電容量方式のセンサ（図２（ａ）、（ｂ）参照）を用いることができる。なお、タッチセンサ３ｂ、３ｃに含まれる第１導体ｄ１の配置については、第２本体部３が閉状態（タッチセンサ３ｂ、３ｃが左右方向Ｘおよび前後方向Ｙに延びた状態）にある場合として説明する。
【００４５】
タッチセンサ３ｃは、ディスプレイ６を正面から（−Ｙ側から）見たときに、ディスプレイ６と重なる位置に配置されている。タッチセンサ３ｃは、第１透明板４（図４参照）の＋Ｙ側の表面に設けられている。使用者は、第１透明板４およびタッチセンサ３ｃを通して、ディスプレイ６を視認可能となっている。このため、使用者は、タッチセンサ３ｃおよびディスプレイ６を１つのタッチパネルとして用いることができる。この場合、第１透明板４がタッチセンサ３ｃのカバーガラスとして機能する。つまり、使用者は第１透明板４の表面に触れることで、タッチセンサ３ｃを操作することができる。
【００４６】
タッチセンサ３ｂは、第２透明板５の−Ｙ側の表面であって、ディスプレイ６よりも−Ｚ側の部分に位置している。タッチセンサ３ｂは、透明部材１０の下側部１４の一部と重なっている。
図７に示すように、タッチセンサ３ｂは、第２本体部３が閉状態において、上下方向Ｚから見たときに表示部２ｂと重なる位置に配置されている。タッチセンサ３ｂは透明であるため、第２本体部３が閉状態において、タッチセンサ３ｂを通して表示部２ｂを視認可能となっている。このため使用者は、図８（ｂ）に示すように、タッチセンサ３ｂおよび表示部２ｂを１つのタッチパネルとして用いることができる。この場合、第２透明板５がタッチセンサ３ｂのカバーガラスとして機能する。つまり、使用者は第２透明板５の表面に触れることで、タッチセンサ３ｂを操作することができる。
【００４７】
なお、タッチセンサ３ｂおよび表示部２ｂを１つのタッチパネルとして用いる場合、使用者は、２つのタッチセンサ３ｂ、２ｄを通して表示部２ｂを視認することになる。このように２つのタッチセンサ３ｂ、２ｄを重ねて見ると、それぞれのタッチセンサ３ｂ、２ｄの導体線ｄ１、ｄ２によるモアレが生じて、表示部２ｂの視認性が低下する場合がある。特に導体線ｄ１、ｄ２を、図３（ａ）、（ｂ）のように金属細線のメッシュで構成したとき、このようなモアレが生じやすい。モアレの発生を抑えるために、２つのタッチセンサ３ｂ、２ｄに含まれる電極層のうち、少なくとも１つの電極層におけるマイクロピッチＰまたはメッシュ角度θを、他の電極層におけるマイクロピッチＰまたはメッシュ角度θと異ならせてもよい。あるいは、少なくとも１つの電極層におけるマイクロピッチＰを不均一（ランダム）にしてもよい。
【００４８】
より具体的には、図３（ａ）のように２つのタッチセンサ３ｂ、２ｄを構成した場合には、４つの電極層（タッチセンサ３ｂの第１導体ｄ１の電極層、タッチセンサ３ｂの第２導体ｄ２の電極層、タッチセンサ２ｄの第１導体ｄ１の電極層、およびタッチセンサ２ｄの第２導体ｄ２の電極層）が重なることになる。したがって、この４つの電極層のうち、１つの電極層におけるマイクロピッチＰまたはメッシュ角度θを、他の３つの電極層におけるマイクロピッチＰまたはメッシュ角度θと異ならせてもよい。あるいは、４つの電極層におけるマイクロピッチＰまたはメッシュ角度θを、互いに異ならせてもよい。あるいは、４つの電極層のうち、少なくとも１つの電極層におけるマイクロピッチＰを不均一にしてもよい。
【００４９】
また、図３（ｂ）のように２つのタッチセンサ３ｂ、２ｄを構成した場合には、２つの電極層（タッチセンサ３ｂの導体ｄ１、ｄ２の電極層、およびタッチセンサ２ｄの導体ｄ１、ｄ２の電極層）が重なることになる。したがって、この２つの電極層におけるマイクロピッチＰまたはメッシュ角度θを互いに異ならせてもよい。あるいは、２つの電極層のうち少なくとも１つの電極層におけるマイクロピッチＰを不均一にしてもよい。
【００５０】
ここで、制御部２ｅは、第２本体部３が開状態であることを検出部２ｃが検出したときに第１タッチセンサ２ｄを有効にするとともに、第２タッチセンサ３ｂを無効にする。また、制御部２ｅは、第２本体部３が閉状態であることを検出部２ｃが検出したときに第２タッチセンサ３ｂを有効にするとともに、第１タッチセンサ２ｄを無効にする。また、第２本体部３は透明領域Ａを有し、第２本体部３が閉状態のとき、透明領域Ａを通して第１本体部２の表示部２ｂを視認可能となる。このため、図８（ａ）に示すように、第２本体部３が開状態の場合には、使用者は第１タッチセンサ２ｄおよび表示部２ｂを１つのタッチパネルとして操作することができる。また、図８（ｂ）に示すように、第２本体部３が閉状態の場合には、第２タッチセンサ３ｂおよび表示部２ｂを１つのタッチパネルとして操作することができる。
つまり、第２本体部３が閉状態および開状態のいずれであっても、使用者は、第１本体部２に設けられた表示部２ｂをタッチパネルとして操作することができる。
【００５１】
また、第２本体部３は、ディスプレイ６と重なる位置に配されたタッチセンサ３ｃ（第３タッチセンサ）を有している。このため、第２本体部３自体を１つのタッチパネルとして用いることができる。
【００５２】
なお、タッチセンサ３ｂの感度が、タッチセンサ２ｄの感度よりも高くてもよい。この場合、タッチセンサ２ｄのカバーガラスの厚みよりも、タッチセンサ３ｂのカバーガラスとして機能する第２透明板５の厚みを大きくしたとしても、タッチセンサ３ｂの操作感とタッチセンサ２ｄの操作感とを同等にすることができる。つまり、タッチセンサ３ｂの操作感の低下を抑えながら、第２透明板５の厚みを大きくして第２本体部３の強度を高めることができる。なお、例えばタッチセンサ３ｂを第１透明板４の＋Ｙ側の表面に設けて、タッチセンサ３ｂおよび３ｃを同一のコントローラで制御してもよい。この場合、タッチセンサ３ｂ、３ｃを別個のコントローラで制御する場合と比較してコストダウンを図ることができる。
【００５３】
また、タッチセンサ２ｄおよびタッチセンサ３ｂはそれぞれ、前後方向Ｙ（第１方向）に延びる複数の第１導体ｄ１と、前後方向Ｙに直交する左右方向Ｘ（第２方向）に延びる複数の第２導体ｄ２と、を有している。タッチセンサ２ｄとタッチセンサ３ｂとで、第１導体ｄ１の繰り返しピッチＰ１および第２導体ｄ２の繰り返しピッチＰ２の少なくとも一方が異なっていてもよい。
あるいは、タッチセンサ２ｄの繰り返しピッチＰ１、タッチセンサ２ｄの繰り返しピッチＰ２、タッチセンサ３ｂの繰り返しピッチＰ１、およびタッチセンサ３ｂの繰り返しピッチＰ２のうち、少なくとも１つが不均一となっていてもよい。
これらの場合、第２本体部３が閉状態のときに、タッチセンサ２ｄの導体線ｄ１、ｄ２とタッチセンサ３ｂの導体線ｄ１、ｄ２とを重ねて見ることによるモアレを低減することができる。したがって、タッチセンサ３ｂと表示部２ｂとを１つのタッチパネルとして用いる場合に、表示部２ｂの視認性を向上させることができる。
【００５４】
また、タッチセンサ２ｄを覆う透明カバー２ｆの表面には反射防止膜が形成され、タッチセンサ３ｂを覆う第２透明板５の表面およびタッチセンサ３ｃを覆う第１透明板４の表面には反射防止膜が形成されていなくてもよい。この場合、タッチセンサ２ｄと表示部２ｂとを１つのタッチパネルとして用いる場合の光の反射を抑えて、表示部２ｂの視認性を向上させることができる。また、透明板４、５の表面に反射防止膜を形成した場合には、透明領域Ａの色味が変化することが考えられる。したがって、透明板４、５の表面に反射防止膜を形成しないことで、透明領域Ａの色味の変化を抑えることができる。
【００５５】
なお、本発明の技術的範囲は前記実施の形態に限定されず、本発明の趣旨を逸脱しない範囲において種々の変更を加えることが可能である。
【００５６】
例えば、前記実施形態では、第２本体部３と第１本体部２とがヒンジ２５回りに回動可能に連結されていたが、第２本体部３と第１本体部２とがスライド移動するように構成されていてもよい。あるいは、第２本体部３が第１本体部２に対して取り外し可能に構成されていてもよい。
これらの場合でも、第２本体部３の閉状態とは、第２本体部３と第１本体部２とが重ね合わされた状態をいい、第２本体部３の開状態とは、第２本体部３が閉状態から所定量以上移動し、表示部２ｂが露出した状態をいう。
【００５７】
また、第２本体部３に、タッチセンサ３ｂが設けられておらず、タッチセンサ２ｄの感度が可変であってもよい。この場合、制御部２ｅが、第２本体部３が開状態から閉状態となったことを検出部２ｃが検出したときにタッチセンサ２ｄの感度を上げ、第２本体部３が閉状態から開状態となったことを検出部２ｃが検出したときにタッチセンサ２ｄの感度を下げるように構成されてもよい。この構成によれば、第２本体部３が開状態の場合には、透明カバー２ｆを介してタッチセンサ２ｄを操作することができる。また、第２本体部３が閉状態の場合には、第２透明板５を介してタッチセンサ２ｄを操作することができる。したがって、第２本体部３が閉状態および開状態のいずれであっても、使用者は、第１本体部２に設けられた表示部２ｂをタッチパネルとして操作することができる。
【００５８】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００５９】
１…電子機器  ２…第１本体部  ２ａ…入力部（キーボード）  ２ｂ…表示部  ２ｃ…検出部  ２ｄ…タッチセンサ（第１タッチセンサ）  ２ｅ…制御部  ２ｆ…透明カバー  ３…第２本体部  ５…第２透明板  ６…ディスプレイ  ３ｂ…タッチセンサ（第２タッチセンサ）  ３ｃ…タッチセンサ（第３タッチセンサ）
【図１】
2020035318.tif 000003
【図２】
2020035318.tif 000004
【図３】
2020035318.tif 000005
【図４】
2020035318.tif 000006
【図５】
2020035318.tif 000007
【図６】
2020035318.tif 000008
【図７】
2020035318.tif 000009
【図８】
2020035318.tif 000010
【手続補正書】
【提出日】令和2年1月17日(2020.1.17)
【手続補正１】
【補正対象書類名】特許請求の範囲
【補正対象項目名】請求項１
【補正方法】変更
【補正の内容】
【請求項１】
表示部および前記表示部と重なる位置に配された第１タッチセンサを有する第１本体部と、
第２タッチセンサを有し、前記第１本体部に対して、開状態と前記第１本体部の前記表示部がある面を覆う閉状態との間で相対移動可能な第２本体部と、
前記第２本体部の開状態および閉状態を検出する検出部と、
前記第１タッチセンサおよび前記第２タッチセンサを制御する制御部と、を備え、
前記第２タッチセンサは、前記第２本体部が閉状態となったときに、前記表示部と重なる位置に配置され、前記第２本体部のうち前記表示部と対向する面とは反対の面で使用者が触れた部位を検出するように構成され、
前記制御部は、前記第２本体部が開状態であることを前記検出部が検出したときに前記第１タッチセンサを有効にしかつ前記第２タッチセンサを無効にし、前記第２本体部が閉状態であることを前記検出部が検出したときに前記第２タッチセンサを有効にしかつ前記第１タッチセンサを無効にするように構成される、電子機器。